(57)【要約】      （修正有）【課題】使用上の実用性、利便性及び安全性が向上する受容構造付き電子制御織物を提供する。【解決手段】少なくとも一つの電子ユニットに電気的に接続されるための受容構造付き電子制御織物であって、第一の金属糸２０と、第二の金属糸３０と、少なくとも一つの受容構造４０と、給電手段６０とを含み、第二の金属糸３０が第一の金属糸２０の一側に並べられ、受容構造４０は、電子ユニットに対応する受容空間４１を有し、受容空間４１内に第一の金属糸２０と第二の金属糸３０とが挿入され、受容構造４０に第一の金属糸２０の受容空間４１に対応するセクタと第二の金属糸３０の受容空間４１に対応するセクタとがそれぞれ結合され、給電手段６０が第一の金属糸２０及び第二の金属糸３０に電気的に接続されている。【選択図】図１
0003176469.tif 000002
【実用新案登録請求の範囲】
【請求項１】
少なくとも一つの電子ユニットに電気的に接続されるための受容構造付き電子制御織物であって、
第一の金属糸と、
前記第一の金属糸の一側に並べられた第二の金属糸と、
前記電子ユニットに対応する受容空間を有し、前記受容空間内に前記第一の金属糸と前記第二の金属糸とが挿入され、前記第一の金属糸の前記受容空間に対応するセクタと前記第二の金属糸の前記受容空間に対応するセクタとがそれぞれ結合された少なくとも一つの受容構造と、
前記第一の金属糸及び前記第二の金属糸に電気的に接続された給電手段とを含む受容構造付き電子制御織物。
【請求項２】
前記受容構造は、その受容空間の壁面に第一の電気接続部と第二の電気接続部が配置され、前記第一の金属糸の該セクタが前記受容構造の第一の電気接続部に電気的に接続され、前記第二の金属糸の該セクタが前記受容構造の第二の電気接続部に電気的に接続され、前記受容構造の受容空間が前記電子ユニットに対応され、前記電子ユニットは両電気接続部を有し、前記電子ユニットの両電気接続部が前記受容空間における第一の電気接続部と第二の電気接続部にそれぞれ対応されていることを特徴とする請求項１に記載の受容構造付き電子制御織物。
【請求項３】
前記第一の金属糸と第二の金属糸とがいずれも複数の金属紗からなり、前記受容構造の第一の電気接続部と第二の電気接続部ともいずれも複数の金属紗からなり、前記受容構造の第一の電気接続部の複数の金属紗が前記第一の金属糸の該セクタの複数の金属紗に貫いて取り巻きに固定され、前記受容構造の第二の電気接続部の複数の金属紗が前記第二の金属糸の該セクタの複数の金属紗に貫いて取り巻きに固定され、前記第一の金属糸には前記金属紗を覆うコート層がさらに設けられ、前記第二の金属糸にも前記金属紗を覆う他のコート層が設けられていることを特徴とする請求項２に記載の受容構造付き電子制御織物。
【請求項４】
前記受容構造の第一の電気接続部と第二の電気接続部が前記受容空間の同じ壁面及び両対向壁面のうち何れかの一方に位置されていることを特徴とする請求項２に記載の受容構造付き電子制御織物。
【請求項５】
帯体をさらに含み、前記第一の金属糸と第二の金属糸とがそれぞれ間隔をおいて前記帯体に並列して結合され、前記帯体が前記受容空間内に収納されるとともに前記受容構造に結合され、前記帯体表面の前記受容空間に対応する部分には前記第一の金属糸の該セクタに電気的に接続された第一の電気接続部と前記第二の金属糸の該セクタに電気的に接続された第二の電気接続部が設けられ、前記第一、第二の電気接続部がそれぞれ絶縁され、前記受容構造の受容空間が前記電子ユニットに対応され、前記電子ユニットは両電気接続部を有し、前記電子ユニットの前記両電気接続部が前記受容構造内の帯体表面の第一の電気接続部及び第二の電気接続部にそれぞれ対応されていることを特徴とする請求項１に記載の受容構造付き電子制御織物。
【請求項６】
前記帯体には両受容通路が設けられ、且つ、いずれも前記帯体の一端から前記帯体の他端まで延在され、前記第一の金属糸及び第二の金属糸が前記両受容通路内にそれぞれ挿通されていることを特徴とする請求項５に記載の受容構造付き電子制御織物。
【請求項７】
前記第一の金属糸と第二の金属糸とがいずれも複数の金属紗からなり、前記帯体の第一の電気接続部と第二の電気接続部はいずれも複数の金属紗からなり、前記帯体の第一の電気接続部の複数の金属紗が前記第一の金属糸の該セクタの複数の金属紗に貫いて取り巻きに固定され、前記帯体の第二の電気接続部の複数の金属紗が前記第二の金属糸の該セクタの複数の金属紗に貫いて取り巻きに固定され、前記第一の金属糸には前記第一の金属糸の前記金属紗を覆うコート層がさらに設けられ、前記第二の金属糸には前記第二の金属糸の前記金属紗を覆う他のコート層がさらに設けられていることを特徴とする請求項５に記載の受容構造付き電子制御織物。
【請求項８】
前記帯体の第一の電気接続部及び第二の電気接続部が前記受容空間の同じ壁面及び両対向壁面のうち何れかの一方に位置されることを特徴とする請求項５に記載の受容構造付き電子制御織物。
【請求項９】
前記給電手段に継手がさらに設けられ、前記第一の金属糸及び第二の金属糸の一端に相手側の継手が電気的に接続され、前記相手側の継手に前記継手が分離可能に接続されることを特徴とする請求項１に記載の受容構造付き電子制御織物。
【請求項１０】
前記受容構造は、織帯、袋体及びケースのうち何れかの一つであることを特徴とする請求項１に記載の受容構造付き電子制御織物。
【請求項１１】
前記給電手段にはコントローラがさらに設けられ、前記コントローラが前記第一の金属糸と前記第二の金属糸に電気的に接続されていることを特徴とする請求項１に記載の受容構造付き電子制御織物。
【請求項１２】
中空帯体をさらに含み、前記第一の金属糸、第二の金属糸及び受容構造が前記中空帯体内に収納され、前記給電手段は前記中空帯体から露出されていることを特徴とする請求項１に記載の受容構造付き電子制御織物。
【請求項１３】
第三の金属糸をさらに含み、前記第三の金属糸が前記第一の金属糸及び第二の金属糸の一側に並べられ、前記受容空間内に前記第三の金属糸が挿入され、前記受容構造に前記第三の金属糸の前記受容空間に対応するセクタが結合され、前記受容構造は、その受容空間の壁面に第三の電気接続部がさらに配置され、前記第三の金属糸の該セクタが前記受容構造の第三の電気接続部に電気的に接続され、前記電子ユニットは三つの電気接続部を有し、前記電子ユニットの三つの電気接続部が前記受容空間における第一の電気接続部、第二の電気接続部及び第三の電気接続部にそれぞれ対応されていることを特徴とする請求項２に記載の受容構造付き電子制御織物。
【請求項１４】
第三の金属糸をさらに含み、前記第一の金属糸、第二の金属糸及び第三の金属糸は、それぞれ間隔を置いて前記帯体に並列して結合され、前記帯体表面の前記受容空間に対応する部分には前記第三の金属糸の該セクタに電気的に接続された第三の電気接続部がさらに設けられ、前記帯体表面の第一、第二、第三の電気接続部がそれぞれ絶縁され、前記電子ユニットは三つの電気接続部を有し、前記電子ユニットの三つの電気接続部が前記帯体表面の第一、第二、第三の電気接続部にそれぞれ対応されていることを特徴とする請求項５に記載の受容構造付き電子制御織物。
【請求項１５】
前記第三の金属糸は、信号線及びアースのうち何れかの一つであることを特徴とする請求項１３または１４に記載の受容構造付き電子制御織物。
【請求項１６】
前記電子ユニットは、発光部材、発熱部材、振動マッサージ部材及び音声部材のうち何れかの一つであることを特徴とする請求項２、５、１３または１４に記載の受容構造付き電子制御織物。
【請求項１７】
前記電子ユニットは、携帯型電子装置であることを特徴とする請求項２、５、１３または１４に記載の受容構造付き電子制御織物。
【考案の詳細な説明】
【技術分野】
【０００１】
本考案は、受容構造付き電子制御織物に係り、特に、織物構造内に電気回路が組み込まれ且つ受容構造を有することにより、織物の表面に電子ユニットが結合されるとともに該電子ユニットの動作を制御可能に機能する受容構造付き電子制御織物に関る。
【背景技術】
【０００２】
一般の織物（例えば、帽子や衣服）は、複数枚の織物シートをミシンで縫製されるため、各シート同士間に縫いによる隙間が形成され、各シート間の縫い糸が外力で引っ張られて分断されないようにするため、或いは美観などの目的で、該隙間の箇所に帯体をカバーしてミシンで縫われることにより、緻密結合、隙間遮蔽或いは飾りなどの効果を達する。ここで、前記帯体は、幾つかの糸を経緯方向に交互に編組して形成され、このようにして、該帯体は、引っ張り力に耐える強固な特性を持つようになる。
【考案の概要】
【考案が解決しようとする課題】
【０００３】
そこで、ある業者が、着用者の安全性を向上させるため、光反射効果のある繊維糸と一般の繊維糸を一本の複合糸に結合して、さらに幾つかの複合糸を帯体に編組し、或いは反射糸と一般の糸を交互して帯体に編組することにより、このような帯体に光反射による警報の効果を持たせて形成されるが、このような反射光式帯体が自発的に発光できず、光が照射されると光反射による警報の効果が生じるため、条件規制の欠点を有し、光線の劣り且つ光が照射されず（例えば、夜間の暗い街、水源及び生態保護エリア）或いは光が明る過ぎる（例えば、昼間）ような環境下になれば、このような帯体も同じく光反射による警報の役割を果たせなくなる。
【０００４】
これに鑑みて、本考案の創作者は、専念に研究や設計、組み立てをし、受容構造を有するとともに織物に結合して使用され且つ可撓性を持ち、さらに発光警報や、発熱保温、音声報知または振動マッサージの効果を備えることにより、帽子や、衣服、ズボン、鞄、袋などの様々な織物に結合され易くなるばかりではなく、ユーザが容易に制御するよう様々な電子装置または電子素子などの電子ユニットが収納可能となり、実用性、利便性及び安全性を向上させた受容構造付き電子制御織物の提供を期することが、本考案創作の動機である。
【０００５】
本考案は、受容構造を有するとともに織物に結合して使用され且つ可撓性を持ち、さらに発光警報や、発熱保温、音声報知または振動マッサージの効果を備えることにより、帽子や、衣服、ズボン、鞄、袋などの様々な織物に結合され易くなるばかりではなく、ユーザが容易に制御するよう様々な電子装置または電子素子などの電子ユニットが収納可能となり、使用上の実用性、利便性及び安全性を向上させる受容構造付き電子制御織物を提供することを主な目的とする。
【課題を解決するための手段】
【０００６】
前記目的を達成するため、本考案による受容構造付き電子制御織物は、少なくとも一つの電子ユニットに電気的に接続されるための受容構造付き電子制御織物であって、第一の金属糸と、前記第一の金属糸の一側に並べられた第二の金属糸と、前記電子ユニットに対応する受容空間を有し、前記受容空間内に前記第一の金属糸と前記第二の金属糸とが挿入され、前記第一の金属糸の前記受容空間に対応するセクタと前記第二の金属糸の前記受容空間に対応するセクタとがそれぞれ結合された少なくとも一つの受容構造と、前記第一の金属糸及び前記第二の金属糸に電気的に接続された給電手段とを含む。
【考案の効果】
【０００７】
よって、電池やコントローラなどの給電手段を収納し易くなるよう受容構造を有するとともに織物に結合して使用され且つ可撓性の効果を持つことにより、帽子や、衣服、ズボン、鞄、袋などの様々な織物に結合され易くなるばかりではなく、ユーザが容易に制御するよう様々な電子装置または電子素子などの電子ユニットが収納可能となる。さらに、発光警報や、発熱保温、音声報知または振動マッサージの効果を備えることにより、使用上の実用性、利便性及び安全性が向上する。
【図面の簡単な説明】
【０００８】
【図１】本考案に係る受容構造付き電子制御織物を示す斜視図である。
【図２】本考案に係る電子制御織物の電子ユニットが収納された受容構造を示す分解図である。
【図３】本考案の電子制御織物の帯体がさらに結合された実施態様を示す斜視図である。
【図４】図３のＡ―Ａ線の断面図である。
【図５】図１の電子制御織物の継手及び相手側継手がさらに接続された実施態様を示す斜視図である。
【図６】図３の給電手段の代わりにコントローラを用い、給電手段にさらに継手及び相手側継手が接続された実施態様を示す斜視図である。
【図７】本考案に係る電子制御織物の衣服に結合された実施例を示す図である。
【図８】本考案に係る電子制御織物の帽子に結合された実施例を示す図である。
【図９】図２の電子制御織物が組み合わせられてから第三の金属糸がさらに設けられた実施例を示す図である。
【図１０】図３の電子制御織物の第三の金属糸が増設された実施例を示す図である。
【考案を実施するための形態】
【０００９】
本考案の特徴、特点及び技術内容のさらなる深い了解を得るため、以下に本考案に係る詳細説明及び添付図面を参照する。前記添付図面は参考や説明のためのみに提供されるものであって、本考案を局限するものではない。
【実施例】
【００１０】
図１〜図１０に示すように、受容構造付き電子制御織物は、少なくとも一つの電子ユニット５０に電気的に接続されるためのものであって、該受容構造付き電子制御織物は、第一の金属糸２０と、第二の金属糸３０と、少なくとも一つの受容構造４０と、給電手段６０とを含む組立構造であり、第二の金属糸３０が第一の金属糸２０の一側に並べられ、受容構造４０は、電子ユニットに対応する受容空間４１を有し、受容空間４１内に第一の金属糸２０と第二の金属糸３０とが挿入され、受容構造４０に第一の金属糸２０の受容空間４１に対応するセクタと第二の金属糸３０の受容空間４１に対応するセクタとがそれぞれ結合され、給電手段６０が第一の金属糸２０及び第二の金属糸３０に電気的に接続されている。よって、本考案は、ユーザのあらゆる着用物（図７、図８に示すように）に縫いまたは貼付けなどの方式で結合し易くなり、受容構造４０における電子ユニット５０の動作を給電手段６０により制御するよう受容構造４０に電子ユニット５０が収納可能となっている。
【００１１】
本実施例では、図１及び図２に示すように、受容構造４０は、その受容空間４１の壁面に第一の電気接続部４２と第二の電気接続部４３が配置され、第一の金属糸２０の該セクタが受容構造４０の第一の電気接続部４２に電気的に接続され、第二の金属糸３０の該セクタが受容構造４０の第二の電気接続部４３に電気的に接続され、受容構造４０の受容空間４１内に電子ユニット５０を収納して固定されるよう受容構造４０の受容空間４１が前記電子ユニット５０に対応されている。
さらに、図２に示すように、電子ユニット５０は、両電気接続部５１１、５１２（即ち、正、負両電極）を有し、電子ユニット５０の両電気接続部５１１、５１２が前記受容空間４１における第一の電気接続部４２と第二の電気接続部４３にそれぞれ対応されている。給電手段６０は、電池１本（図３を参照）で実施される外、コントローラ（或いは、複数の電池が内蔵された電池パック）が設けられ、さらに、その正負両電極を給電手段６０の同じ側に位置させることで、第一の金属糸２０及び第二の金属糸３０にコントローラが電気的に接続され易く、電子ユニット５０の所要電源を供給するとともに電子ユニット５０の動作を制御可能となる。
【００１２】
前記第一の金属糸２０と第二の金属糸３０とがいずれも複数の金属紗２１、３１からなることにより、両金属糸が可撓性の特徴を有し、さらに、受容構造４０の第一の電気接続部４２と第二の電気接続部４３ともいずれも複数の金属紗４２１、４３１からなることにより、受容構造４０の第一の電気接続部４２の複数の金属紗４２１が第一の金属糸２０の該セクタの複数の金属紗２１に貫いて取り巻きに固定され、受容構造４０の第二の電気接続部４３の複数の金属紗４３１が第二の金属糸３０の該セクタの複数の金属紗３１に貫いて取り巻きに固定されて電気接続になり、さらに、第一の金属糸２０の該セクタ及び第二の金属糸３０の該セクタをいずれも受容構造４０の壁面に結合することにより、弛めてしまうことを防止する。
第一の金属糸２０にはこれらの金属紗２１を覆うコート層２２がさらに設けられ、第二の金属糸３０にはこれらの金属紗３１を覆う他のコート層３２がさらに設けられている。
【００１３】
また、前記両金属糸は、対応する受容構造４０の数に応じて、二本の金属糸を複数の受容構造４０の受容空間４１に通して複数の電気的接続可能なセクタを形成し（図８を参照）、両金属糸の該セクタごとが受容空間４１ごと内の二つの電気接続部に電気的に接続され、さらに受容構造４０の受容空間４１内に電子ユニット５０をそれぞれ収納して位置決めさせ、電子ユニット５０ごとの両電気接続部５１１、５１２を受容空間４１ごと内の二つの電気接続部にそれぞれ電気的に接続させることで電気接続（例えば、電気的直列接続）になることによって、着用用品の異なる部位に複数の電子ユニット５０が使用可能になり、多点発光や、多点発声、多点発熱または多点での振動マッサージの効果が形成されるようになる。
【００１４】
前記電子ユニット５０（または給電手段６０）の正、負両電極部は、そのタイプに応じて電子ユニット５０（または給電手段６０）の同じ側或いは異なる側に位置されるため、受容構造４０の第一の電気接続部４２及び第二の電気接続部４３が受容空間４１の同じ壁面（図２示すように）または両対向壁面（図３において給電手段６０を収納するための受容構造４０に示すように）に位置されることにより、使用される電子ユニット５０（または給電手段６０）のタイプに対応して合わせられる。
【００１５】
また、図３及び図４に示すように、本考案は、帯体１０をさらに含み、第一の金属糸２０と第二の金属糸３０とがそれぞれ間隔をおいて帯体１０に並列して結合され、帯体１０が受容空間４１内に収納されるとともに受容構造４０に結合され、帯体１０の表面の受容空間４１に対応する部分には第一の電気接続部１１及び第二の電気接続部１２が設けられ、第一の電気接続部１１が第一の金属糸２０の該セクタに電気的に接続され、第二の電気接続部１２が第二の金属糸３０の該セクタに電気的に接続され、第一、第二の電気接続部１１、１２がそれぞれ絶縁され、受容構造４０の受容空間４１が前記電子ユニット５０に対応され、電子ユニット５０は、両電気接続部（図２に示す両電気接続部５１１、５１２を参照）を有し、電子ユニット５０の両電気接続部が受容構造４０内の帯体１０表面の第一の電気接続部１１及び第二の電気接続部１２にそれぞれ対応されている。
【００１６】
前記第一の金属糸２０及び第二の金属糸３０がいずれも帯体１０に沿って並列して設けられ、それぞれが水平状に間隔をおいて設けられても良いが、非水平状（例えば、徐々に絞る状）に間隔をおいて設けられてもいい、よって、二本の金属糸が誤って接触しショートされる（short circuit）ことを防ぐことができ、さらに、異なるサイズの電子ユニット５０を跨って設けてもいいので、適用可能なタイプが増加される。
【００１７】
前記帯体１０には両受容通路１３１、１３２が設けられ、且つ、いずれも帯体１０の一端から帯体１０の他端まで延在され（図６に示すように）、第一の金属糸２０及び第二の金属糸３０が両受容通路１３１、１３２内にそれぞれ挿通され、受容通路１３１には第一の金属糸２０が位置決めされるまで導入され、他方の受容通路１３２には第二の金属糸３０が位置決めされるまで導入されるようになっている。
【００１８】
帯体１０の第一の電気接続部１１と第二の電気接続部１２はいずれも複数の金属紗１１１、１２１からなり、帯体１０の第一の電気接続部１１の複数の金属紗１１１が第一の金属糸２０の該セクタの複数の金属紗２１に貫いて取り巻きに固定され、帯体１０の第二の電気接続部１２の複数の金属紗１２１が第二の金属糸３０の該セクタの複数の金属紗３１に貫いて取り巻きに固定されている。よって、複数の金属紗２１、３１からなる第一の金属糸２０と第二の金属糸３０を帯体１０の受容通路１３１、１３２内に縫って固定することにより、第一の金属糸２０及び第二の金属糸３０が保護され、直接に傷つけられたり汚されたり損壊されるなどが避けられ、また、両金属糸が帯体１０の弯曲に伴い曲折され容易に引っ張られ分断されなくなり、さらに、縫い糸を金属糸に容易に挿通させることが可能な構造になることで、電気的接続し易くなる。
【００１９】
次に、帯体１０は、対応する受容構造４０の数に応じて、帯体１０を複数の受容構造４０の受容空間４１に通して複数の電気的接続可能な部分を形成し（図７の衣服の底部を参照）、同様に多点発光や、多点発声、多点発熱または多点での振動マッサージの効果が形成され、これらの電気的接続可能な帯体１０部分において、いずれも両金属糸の各該セクタごとに対応され、これらの電気的接続可能な帯体１０部分の表面に第一の金属糸２０の該セクタに電気的に接続する第一の電気接続部１１と第二の金属糸３０の該セクタに電気的に接続する第二の電気接続部１２がいずれも設けられ、図３に示すように、本実施態様では、帯体１０に両受容構造４０が結合され、受容構造４０に給電手段６０が収納され、他の受容構造４０に電子ユニット５０を収納して位置決めされ、両受容空間４１における帯体１０の部分にはいずれも第一の電気接続部１１及び第二の電気接続部１２が設けられることで、電子ユニと５０に給電手段６０により電力を供給するように構成されても良い。
【００２０】
図３の右側において、給電手段６０の簡単な実施例として、電池１本（例えば、ボタン電池）を使用できるが、正、負両電極部が異なる側に位置されるので、電気的接続を形成するため、受容空間４１における帯体１０部分の第一の電気接続部１１と第二の電気接続部１２を交互に配列するとともに、該箇所における帯体１０の部分を受容空間４１の両対向壁面に屈曲姿勢で差し込んで結合させ（例えば、縫い、接着）、図４に示すように、第一の電気接続部１１が受容空間４１の一方の壁面に位置され、第二の電気接続部１２が受容空間４１の対向側の壁面に位置されることにより、給電手段６０の異なる側の正、負両電極部が該箇所における帯体１０の部分に挟まれ、第一の電気接続部１１と第二の電気接続部１２が給電手段６０の正、負電極部に電気的に接続されるようになる。また、図３の左側において、他の受容構造４０における帯体１０部分の第一の電気接続部１１と第二の電気接続部１２が並べて設けられ、且つ、他の受容構造４０の受容空間４１の同じ壁面に位置されることから、同じく電子ユニット５０の同じ側の正、負電極部に直接電気的に接続され易くなる。
【００２１】
上記において、両金属糸は、いずれもコート層２２、３２を設置することにより、これらの金属紗２１、３１を保護、結束し、且つ、コート層２２、３２は弾性のある絶縁薄膜構造であり、曲折を容易に行う外、第一の電気接続部１１、４２と第二の電気接続部１２、４３の複数の金属紗１１１、１２１、４２１、４３１が二本の金属糸のコート層２２、３２にそれぞれ挿通され易く、両金属糸の複数の金属紗２１、３１とそれぞれ電気的に接続されるようになる。
【００２２】
また、図５及び図６に示すように、本考案は、給電手段６０の一側に継手６１がさらに設けられ、継手６１に給電手段６０の正、負両電極の回路が結合され、第一の金属糸２０の一端及び第二の金属糸３０の一端が相手側の継手７０に結合して電気的に接続されることにより、相手側の継手７０を継手６１と速やかに接続して電気接続可能となり、さらに、着脱可能で交換や更新し易くなる。
【００２３】
また、前記受容構造４０は、織帯、弾性織帯、袋体、弾性袋体、ケース、透光織帯、透光袋体、または透光ケースなどの構造であり、そのうち、受容構造４０が弾性織帯、弾性袋体を用いて縫製して形成されると、異なるサイズの電子ユニット５０（または給電手段６０）を収納して位置決めし易くなる。前記電子ユニット５０は、発光部材（例えば、発光ダイオードのランプ）を用いて、ユーザが着る織物上に発光による警報の効果を発生させ、他には、電子ユニット５０が発熱部材（図示せず、例えば、電熱片や電熱線）であれば、ユーザが着る織物に発熱保温の効果が与えられ、或いは、電子ユニット５０が音声部材（例えば、図７の衣服の左に示されるように、例えば、携帯型マルチメディアプレヤー、ブザー）であれば、音声報知の効果が与えられ、さらに、図７の衣服の中央に示されるように、電子ユニット５０が振動マッサージ部材（例えば、小さいサイズの偏心モータ）であれば、振動マッサージ部材ごと（即ち、符号５０の電子ユニット）は、両金属糸（符号２０、３０）とボタンコントローラ（即ち、符号６０の給電手段）により、振動マッサージの効果を提供できる。また、本考案の電子ユニット５０が様々な電子装置（例えば、マルチメディアビデオ装置、電子辞書、ＩＣレコーダ、ピンホールカメラ…などの携帯型電子装置）であれば、ユーザが受容構造４０内に電子ユニット５０を置くことだけで、給電手段６０により電子ユニット５０に電源を供給して簡易に使用することができる。
【００２４】
また、図８に示すように、本考案は、中空帯体８０をさらに含み、第一の金属糸２０、第二の金属糸３０及び複数の受容構造４０が中空帯体８０内に収納されて保護される外、外見を飾る効果を有し、給電手段６０は、中空帯体８０から露出されため、交換や更新し易くなり、中空帯体８０は、反射糸で編組され、その表面に光反射効果を有することにより、電子ユニットの発光警報を補充し、安全性が向上する。
【００２５】
図９に示すように、本考案に係る実施例は、第三の金属糸９０をさらに含み、第三の金属糸９０が第一の金属糸２０及び第二の金属糸３０の一側に並べられ、受容空間４１内に第三の金属糸９０が挿入され、受容構造４０に第三の金属糸９０の受容空間４１に対応するセクタが結合され、受容構造４０は、その受容空間４１の壁面に第三の電気接続部４４がさらに配置され、第三の金属糸９０の該セクタが受容構造４０の第三の電気接続部４４に電気的に接続され、電子ユニット５０は、三つの電気接続部５１１、５１２、５１３を有し、電子ユニット５０の三つの電気接続部５１１、５１２、５１３が前記受容空間４１における第一の電気接続部４２、第二の電気接続部４３及び第三の電気接続部４４にそれぞれ対応されている。図９の実施例では、第三の金属糸９０が給電手段６０に電気的に接続され、信号線として使用され、給電手段６０は、ボタンコントローラであって、電池が内蔵され、電源がオンされると、第一の金属糸２０及び第二の金属糸３０を介して発光装置となる電子ユニット５０に電源を与えて発光させ、ユーザがボタンコントローラのボタンをもう一度押すと、第三の金属糸９０を介して発光装置に制御信号を伝送して点滅し発光させる。
【００２６】
図１０に示すように、本考案は、第三の金属糸９０、第一の金属糸２０及び第二の金属糸３０をそれぞれ間隔を置いて帯体１０に並列して結合され、帯体１０に受容通路１３３（必ずしも必要とする構造ではない）が増設され、第三の金属糸９０が受容通路１３３内に位置決めるまで導入されるか否かを選択でき、帯体１０表面の受容空間４１に対応する部分には第三の金属糸９０の該セクタに電気的に接続された第三の電気接続部１４がさらに設けられ、帯体１０表面の第一、第二、第三の電気接続部１１、１２、１４がそれぞれ絶縁され、電子ユニット５０は、三つの電気接続部５１１、５１２、５１３を有し、電子ユニット５０の三つの電気接続部が帯体１０表面の第一、第二、第三の電気接続部１１、１２、１４にそれぞれ対応している。図１０の実施例では、給電手段６０は、電池１本であって、両金属糸（即ち、符号２０、３０）を介して電源を供給し、第三の金属糸９０が給電手段６０（電池１本の場合）に必ずしも電気的に接続する必要がないので、第三の金属糸９０をアースとして使用することも可能になり、静電干渉が防止できるが、これに限らず、第三の金属糸９０を信号線として、他のコントローラ（図示せず、例えば、携帯電話やパソコンなどの電子装置）に電気的に接続して使用されることも可能である。
【００２７】
第三の電気接続部１４、４４も同じく複数の金属紗からなるとともに、第三の金属糸９０のセクタの複数の金属紗９１に貫いて取り巻きに固定されて電気接続になる。
【００２８】
従って、本考案による受容構造付き電子制御織物は、第一の金属糸２０と、第二の金属糸３０と、少なくとも一つの受容構造４０と、給電手段６０とによって、電池やコントローラなどの給電手段６０を収納し易くなるよう受容構造を有するとともに織物に結合して使用され且つ可撓性の効果を持つことにより、帽子（図８に示すように）、衣服（図７に示すように）、ズボン、鞄、袋などの様々な織物に結合され易くなる。さらに、発光警報や、発熱保温、音声報知または振動マッサージの効果を備えることにより、使用上の実用性、利便性及び安全性が向上する。
【００２９】
以上は本考案の好ましい具体的な実施例に過ぎず、本考案の実用新案登録請求の範囲を局限するものではない。当該分野における通常の知識を有する専門家は、本考案の分野の中で、適当に変更や修飾することができるが、それらの実施が本考案の主張範囲内に含まれるべきことは言うまでもないことである。
【符号の説明】
【００３０】
１０：帯体
１１：第一の電気接続部
１２：第二の電気接続部
１４：第三の電気接続部
２０：第一の金属糸
２１：金属紗
２２：コート層
３０：第二の金属糸
３１：金属紗
３２：コート層
４０：受容構造
４１：受容空間
４２：第一の電気接続部
４３：第二の電気接続部
４４：第三の電気接続部
５０：電子ユニット
６０：給電手段
６１：継手
７０：継手
８０：中空帯体
９０：第三の金属糸
９１：金属紗
９２：コート層
１１１：金属紗
１２１：金属紗
１３１、１３２：受容通路
１３３：受容通路
４２１：金属紗
４３１：金属紗
５１１、５１２：電気接続部
５１３：電気接続部
【図１】
0003176469.tif 000003
【図２】
0003176469.tif 000004
【図３】
0003176469.tif 000005
【図４】
0003176469.tif 000006
【図５】
0003176469.tif 000007
【図６】
0003176469.tif 000008
【図７】
0003176469.tif 000009
【図８】
0003176469.tif 000010
【図９】
0003176469.tif 000011
【図１０】
0003176469.tif 000012